(57)【要約】  ウェブページ上の広告セグメントは、片方でユーザのコンピュータおよび掲載者と、他方で複数の広告供給エンティティとの間で動作するサービスプロバイダによって供給される広告で埋められる。サービスプロバイダは、広告セグメントに関する入札過程を実行する。落札した広告供給エンティティ（ＤＳＰ、ＡＴＤ、広告主等）は、該エンティティの広告を、サービスプロバイダによって、ユーザのブラウザに配信させ、広告が、ウェブページに表示される。広告セグメントに対する下限ｅ−ＣＰＭは、ユーザに関するデータ（人口統計学的、地理的、社会経済的等）、広告セグメント（例えば、ページ上での位置）についての情報、および掲載者との関係（例えば、掲載者との関係を有するＤＳＰは、より低いｅ−ＣＰＭを提示される可能性がある）を使用して、掲載者によって決定される。サービスプロバイダは、広告セグメントに対する適切な下限ｅ−ＣＰＭを生成するために、掲載者に、ツールおよび極めて精密な情報を提供する。【選択図】  図２
2015501053.tif 000002
【特許請求の範囲】
【請求項１】
ユーザに見られるウェブページ上の広告セグメントに広告を供給する方法であって、前記ウェブページは、掲載者によって掲載され、前記方法は、
ユーザのコンピュータからＨＴＴＰコールを受信し、前記コールはＵＩＤおよびＳＩＤを含むこと、
前記ＵＩＤを使用して、前記ユーザに関するユーザデータを検索すること、
前記広告セグメントに関する１０００人当たりの最小有効広告費（ｅ−ＣＰＭ）の額を検索すること、
前記広告セグメントに対して最高ｅ−ＣＰＭ入札価格を得るために、複数の広告供給エンティティとの間で入札過程を開始すること、および
提示された最高ｅ−ＣＰＭに対応する広告を、前記ユーザのコンピュータ上の前記ウェブページに提供すること
を備える方法。
【請求項２】
請求項１に記載の方法であって、
前記ＨＴＴＰコールは、掲載者ウェブページのコードによって解釈されるユーザのクッキーからデータを取得することを更に含む、方法。
【請求項３】
請求項１に記載の方法であって、
人口統計学的データおよび地理データを検索することを更に含む、方法。
【請求項４】
請求項１に記載の方法であって、
異なる開札情報を多数の広告供給エンティティに送信することを更に含む、方法。
【請求項５】
請求項１に記載の方法であって、
前記掲載者から受信される前記ｅ−ＣＰＭは、ユーザの人口統計学的データおよび広告供給エンティティとの関係に基づいて決定される、方法。
【請求項６】
請求項１に記載の方法であって、
広告セグメントに対する下限ｅ−ＣＰＭ価格は、前記ユーザの人口統計学的因子によって決定される、方法。
【請求項７】
請求項１に記載の方法であって、
広告セグメントに対する下限ｅ−ＣＰＭ価格は、前記ユーザの地理的因子によって決定される、方法。
【請求項８】
請求項１に記載の方法であって、
広告セグメントに対する下限ｅ−ＣＰＭ価格は、前記掲載者と特定のＤＳＰとの間の関係によって決定される、方法。
【請求項９】
請求項１に記載の方法であって、
広告セグメントに対する下限ｅ−ＣＰＭ価格は、前記掲載者と特定のＡＴＤとの間の関係によって決定される、方法。
【請求項１０】
請求項１に記載の方法であって、
広告セグメントに対する下限ｅ−ＣＰＭ価格は、前記掲載者と特定の広告主との間の関係によって決定される、方法。
【請求項１１】
請求項１に記載の方法であって、
広告セグメントに対する下限ｅ−ＣＰＭ価格は、前記広告がＤＳＰまたはＡＴＤを通じて供給される場合、広告が広告主から直接供給されるのと比べて、異なる、方法。
【請求項１２】
請求項１に記載の方法であって、
広告セグメントに対する下限ｅ−ＣＰＭ価格は、広告が特定のＤＳＰを通じて、または特定のＡＴＤを通じて供給される場合、異なる、方法。
【請求項１３】
掲載者によって提示される広告セグメントに対するｅ−ＣＰＭ下限価格を設定する方法であって、前記方法は、
前記広告セグメントを含むウェブページを見るユーザについての人口統計学的データ、地理的データ、および関連データを決定すること、
広告セグメントが存在する前記ウェブページ上の場所に関する情報を検索すること、
前記掲載者が有する、複数の広告供給エンティティとの関係を評価すること、および
特定の広告供給エンティティに対する前記広告セグメントの下限ｅ−ＣＰＭ価格を導出することを備え、前記下限ｅ−ＣＰＭ価格は、複数の広告供給エンティティと通信状態にあるサービスプロバイダによって、前記広告セグメントを埋めるための開札において使用される方法。
【請求項１４】
請求項１３に記載の方法であって、
前記サービスプロバイダによって実行される入札過程の一部として、前記ユーザに関する人口統計学的データ、地理的データ、および社会経済的データを検索することを更に含む、方法。
【請求項１５】
請求項１３に記載の方法であって、
異なる開札情報を前記複数の広告供給エンティティに送信することを更に含み、前記開札情報は、前記下限ｅ−ＣＰＭ価格を含む、方法。
【請求項１６】
請求項１３に記載の方法であって、
前記掲載者から受信される前記ｅ−ＣＰＭは、ユーザの人口統計学的データおよび広告供給エンティティとの関係に基づいて決定される、方法。
【請求項１７】
請求項１３に記載の方法であって、
広告セグメントに対する下限ｅ−ＣＰＭ価格は、前記掲載者と特定のＤＳＰとの間の関係によって決定される、方法。
【請求項１８】
請求項１３に記載の方法であって、
広告セグメントに対する下限ｅ−ＣＰＭ価格は、前記掲載者と特定のＡＴＤとの間の関係によって決定される、方法。
【請求項１９】
請求項１３に記載の方法であって、
広告セグメントに対する下限ｅ−ＣＰＭ価格は、前記掲載者と特定の広告主との間の関係によって決定される、方法。
【請求項２０】
請求項１３に記載の方法であって、
広告セグメントに対する下限ｅ−ＣＰＭ価格は、前記広告がＤＳＰまたはＡＴＤを通じて供給される場合、広告が広告主から直接提供されるのと比べて、異なる、方法。
【発明の詳細な説明】
【技術分野】
【０００１】
［関連出願］
本出願は、２０１１年１２月９日に出願された「複数のエンティティに対するオンライン広告に関する掲載者の選好に対応すること（ＭＡＮＡＧＩＮＧ  ＰＵＢＬＩＳＨＥＲ  ＰＲＥＦＥＲＥＮＣＥＳ  ＦＯＲ  ＯＮＬＩＮＥ  ＡＤＶＥＲＴＩＳＩＮＧ  ＦＯＲ  ＭＵＬＴＩＰＬＥ  ＥＮＴＩＴＩＥＳ）」と題する米国仮特許出願第６１／５６９，２００号の利益を、米国特許法第１１９条（ｅ）の下に主張するものであり、該仮出願は、全体として本明細書に参照として組込まれる。
【０００２】
本発明は、概して、コンピュータソフトウェアおよびインターネット広告に関する。特に、本発明は、ウェブサイト上で表示するインターネット広告を提供するためのソフトウェアに関する。
【背景技術】
【０００３】
オンライン広告産業は、益々複雑になってきている。ディスプレイ広告数が増えるにつれ、主に、より知的にプログラミングされた広告購入機能を活用して、掲載者（販売する広告スペースの在庫を有するエンティティ）が、自分の広告スペース在庫販売に関して、制御したい度合いが増大した。また、それに従い、掲載者の在庫の価値も上昇した。掲載者間で、自分の広告スペース在庫に対して特定の在庫バケットに分割したい要求が高まっている。広告主側では、近頃は、広告主が、自分の広告をウェブページ上に掲載するのに幾ら払うかについて益々注意を払うようになっている。現在、広告スペースの価格は、ウェブサイトのトラフィック、ウェブページ上での位置、ページ上での視認性といった、かなり一般的なレベル制御に基づいている。特定の視聴者、即ち、広告を見る者は、広告スペースまたはセグメントの価値を決定する一因にはなっていない。
【０００４】
どの広告を掲載者に供給して表示させるかを決定するのに、様々な人口統計学的および他のカテゴリに基づいて、掲載者により高レベルの制御を提供することが、望ましいであろう。また、全体的に見て、これは、広告主や該広告主にサービスを提供するエンティティにとっても、望ましいであろう。広告主は、特定の視聴者に的を絞れるようにしたいし、広告を見る人に応じて、所定の広告セグメントに対する支払い額を増減させる柔軟性も持ちたいと思っている。
【発明の概要】
【０００５】
本発明の一態様では、ユーザに見られるウェブページの広告セグメントに広告を供給する方法を、説明する。ウェブページは、ブログサイト、オンライン商店、またはメディア企業といったオンライン掲載者によって公開される。ユーザが、ウェブサイトを訪問すると、ＨＴＴＰが、ユーザのブラウザにダウンロードされ、そこでＨＴＴＰは、ウェブサイトページを表すよう実行される。ＨＴＴＰには、実行される広告用のスクリプトが存在する。ユーザのコンピュータは、ＨＴＴＰコールを生成するが、前記コールには、ユーザのクッキーから検索可能なユーザＩＤおよびセッションＩＤを含んでもよい。このＨＴＴＰコールは、サービスプロバイダのコンピュータに送られる。サービスプロバイダは、片方の掲載者およびユーザのコンピュータと、他方のデマンドサイドパートナー（ＤＳＰ：ｄｅｍａｎｄ  ｓｉｄｅ  ｐａｒｔｎｅｒ）、提携トレーディングデスク（ＡＴＤ：ａｆｆｉｌｉａｔｅｄ  ｔｒａｄｉｎｇ  ｄｅｓｋ）、実際の広告主、および広告を提供および配信する広告産業の他のエンティティとの間で動作するエンティティとして機能する。
【０００６】
サービスプロバイダは、ＨＴＴＰコールを受信すると、前記サービスプロバイダのデータベースからＵＩＤを使用して、ユーザに関連するユーザデータを検索してもよい。このユーザデータは、ユーザに関する基本的な人口統計学的データから、詳細な人口統計学的、地理的、および社会経済的データまで含んでもよい。データの深さおよび幅は、かなり異なることがある。その後、サービスプロバイダは、広告セグメントに対する有効な１０００人当たりの広告費（ｅ−ＣＰＭ  ：ｅｆｆｅｃｔｉｖｅ  ｃｏｓｔ  ｐｅｒ  ｍｉｌ）の最低価格もしくは下限価格を検索または受信する。本発明の態様の１つでは、ページでの広告セグメントの位置から、ユーザについての詳細な情報、および掲載者が特定の広告供給代理店との間に有する可能性がある関係までの多くの変数を用いて、下限ｅ−ＣＰＭを計算または導出する能力を掲載者に与える。これらのすべての因子は、掲載者の広告セグメントに対する特定の下限ｅ−ＣＰＭ価格を導出するのに使用され、リアルタイムで実行されることができる。
【０００７】
サービスプロバイダは、多数の広告供給エンティティと通信状態にあり、広告セグメントを埋めるための入札過程を開始する。下限ｅ−ＣＰＭ値は、前記広告セグメントに対する最高ｅ−ＣＰＭ入札価格を得る目的で、直接の広告主を含む、広告供給エンティティに放送される。広告供給エンティティまたは広告主は、少なくとも基本的な人口統計学的データおよび典型的にはユーザについての詳細なデータ（地理的および社会経済的データ等）を提供される可能性があるため、応札するか否か、また幾らで応札するかに関して、詳細な情報を得た上で決定できる。一般に、広告供給エンティティまたは広告主は、ユーザが自分の対象とする顧客のプロフィールに合致することが分かれば、より高いＣＰＭ価格を支払っても構わないと思うであろう。下限ｅ−ＣＰＭ値に影響を及ぼす可能性がある別の因子は、掲載者の、広告主または広告供給エンティティ（ＤＳＰ、ＡＴＤ等）との関係である。従って、全ての広告供給エンティティが、同じ開札価格を与えられるわけではない。掲載者との関係があるＤＳＰは、掲載者とのそうした関係もしくは契約を持たないＡＴＤもしくは他のＤＳＰより若干低いｅ−ＣＰＭ開札価格が与えられるかも知れない。落札者が決定されると、落札者の広告が、サービスプロバイダによって受信され、その後ウェブページで広告セグメントに表示されることができるように、ユーザのブラウザに送信される。この段階で、ウェブページをロードする過程（およびＨＴＭＬで実行される広告スクリプト）が、完了する。
【０００８】
添付図と併せて、以下の詳細な説明を参照することで、本発明および本発明の効果について、最も理解できるであろう。
【図面の簡単な説明】
【０００９】
【図１】本発明の一実施形態による、広告を制御し、ｅ−ＣＰＭ下限を設定するためのエンティティおよび関係を示すブロック図である。
【図２】本発明を実行するための他のエンティティおよび相互作用を示すブロック図である。
【図３】本発明の一実施形態による、ユーザがウェブページをダウンロードした際の、ウェブブラウザに広告を供給する過程に関するフローチャートである。
【図４Ａ】本発明の実施形態を実行するのに適当なコンピューティングデバイスの略図である。
【図４Ｂ】本発明の実施形態を実行するのに適当なコンピューティングデバイスの略図である。
【発明を実施するための形態】
【００１０】
図面において、同様な参照番号は、同様な構造要素を指すのに使用されることがある。また、当然ながら、図面における描写は、図式的であり、正確な縮尺ではない。
【００１１】
掲載者が、精密な制御を用いて、ｅ−ＣＰＭ（「１０００人当たりの広告費（ｃｏｓｔ  ｐｅｒ  ｍｉｌ）」）の下限価格を設定できるようにする方法およびシステムについて、様々な図で説明されている。上述したように、掲載者は、様々な人口統計学的、地理的、および他のカテゴリを用いて、どの種類の広告が自分のウェブページ上に表示されるかの決定を、より制御したいと思っている。広告主は、特定の視聴者に的を絞れ、所定の広告セグメントに対して柔軟に支払う額を増減できるようになりたいと思っている。
【００１２】
本発明の実施形態を説明するに当たり、エンティティおよびエンティティ間での適切な通信についてから始める。当該産業で既知のように、片方は、自分のウェブページ上に広告スペースおよびセグメントを有するオンラインウェブサイト掲載者である。掲載者は、例えば、ブログまたは単に個人的なウェブサイトを持つ個人から、数百または数千ウェブページもの膨大な広告スペースを有する報道機関および世界的なオンラインメディア企業等の、多国籍企業まで、様々とすることができる。勿論、そうしたウェブサイトの視聴者の規模は、１ヵ月当たり数百（または、十数）ユニークビジタから、何千万人もの閲覧者まで、大きく異なることがある。
【００１３】
図１は、本発明の一実施形態による、広告を制御し、ｅ−ＣＰＭ下限を設定するエンティティおよび関係を示すブロック図である。片方は、掲載者１０２であり、実質的には広告スペースまたはセグメントを有するウェブサイトである。掲載者は、本発明を実行する動作を行う１台または複数のサーバコンピュータを運用する第三者のサービスプロバイダ１０４と、インターネットを介して通信状態にある（インターネットは図示されておらず；説明目的で、直線が、エンティティ間に直接引かれているが、これは、直通通信またはインターネット通信を示すかも知れない）。サービスプロバイダ１０４は、デマンドサイドパートナー（ＤＳＰ）、ＡＴＤ、トレーディングデスク、およびＦｏｒｄ、Ｐｒｏｃｔｏｒ  ＆  Ｇａｍｂｌｅ、Ｃｏｃａ−Ｃｏｌａといった広告主等、広告を供給する様々なエンティティ１０６と、通信状態にある。サービスプロバイダは、これらのエンティティと直接通信する。掲載者１０２の目標は、自分の各広告セグメントに対して最も高額なＣＰＭ価格を得ることである。広告主または広告エンティティ１０６の目標は、出来るだけ狭く的を絞った視聴者に届くオンライン広告；即ち、最も効果的な広告を供給することである。図１では、掲載者１０２とサービスプロバイダ１０４との間の通信、およびサービスプロバイダ１０４と広告供給エンティティ１０６との間の通信が存在する。
【００１４】
一般に、広告主は、自分の広告が適切な視聴者に見られると確信すれば、広告主は、広告を掲載する対価をより多く支払っても構わないと思うであろう。サービスプロバイダ１０４の役割は、２エンティティ（掲載者１０２と広告主１０６と）の間で広告供給ブローカとして機能することによって、これら両目標を容易に達成させることである。
【００１５】
掲載者は、近頃は、自分の広告枠に対する最低（下限）ｅ−ＣＰＭ価格を決定する際に、より制御したいと思っている。掲載者は、近頃は、特定の広告スペース在庫バケットを実質的に生成または分割したいと思っている。例えば、掲載者は、埋めたいと思う１００広告枠を有するかも知れない。一定数の枠、例えば４０枠は、８万ドル以上の年収を稼ぎ、米国の都市エリアに在住し、男性もしくは女性のどちらかの閲覧者に見られる可能性が高いページ上にある。別の３５枠は、スポーツに興味がある１８〜３５歳の人々に見られる可能性がある。別の２３枠は、５５〜７０歳の、男性もしくは女性で、旅行等に興味がある人々に見られる可能性がある。勿論、遥かに多くのカテゴリが、これらのバケットについて説明するのに使用されることができ、更に詳細に指定されることもできる。掲載者は、各バケットに対して下限ｅ−ＣＰＭを設定したいと思っている。上述した第１バケットにおける広告セグメントに対する下限ｅ−ＣＰＭは、１８〜３５歳のスポーツファンに見られる広告枠に対する下限より高いであろう。掲載者は、自分の広告枠の価格設定に関して、遥かに精密な制御を行う。掲載者は、広告主にとって採算性が高く、広告主が支払っても構わないと思う下限ｅ−ＣＰＭを設定できる。
【００１６】
広告主の観点から、広告供給に関してより多くの制御を掲載者に与えることで、一層アピールできる。Ｎｉｋｅ等の広告主は、スポーツに興味があり、且つ特定の年齢層の人々に見られる確率が高い広告を掲載するためには、より高い下限ｅ−ＣＰＭを支払っても構わないと思うであろう。同様に、高級ブランド品の広告主も、年俸が高く、特定の年齢層で、高級ブランド品が店を構える都市エリアに生活する男性または女性の閲覧者に見られる確率が高いページに広告を掲載するためには、より高いｅ−ＣＰＭを支払う可能性が高い。特定の人口統計学的もしくは社会経済的背景を有し、他の特徴を有する視聴者もしくは市場を対象とするそうした広告主は、多種多様に存在する。掲載者は、バケットを、各バケットが、そうした群其々を対象にできる独自の下限ｅ−ＣＰＭを有するように、生成したいと思っている。
【００１７】
しかしながら、市場が支払っても構わないと思う最高ｅ−ＣＰＭ下限価格を得るために、掲載者１０２が広告主１０６と直接通信することは、現実的ではない。本発明のサービスプロバイダ１０４は、掲載者１０２、ウェブページのユーザ（後述）、広告主１０８間の通信を手助けする。また、大規模な掲載者の中には、特定の層に属し、地理的位置に存在する特定のユーザに宣伝したいと思う特定のＡＴＤまたはＤＳＰに関連する特定の広告主に対して、下限ｅ−ＣＰＭを設定するものもあるかも知れない。例えば、ユーザが、２５〜３５歳の女性で、ロンドンに在住する場合、掲載者は、広告主がＮｉｋｅで、ＤＳＰ１を通せば、より低いｅ−ＣＰＭを要求し、Ｎｉｋｅで、ＤＳＰ２を通せば、更に低いｅ−ＣＰＭを要求する。
【００１８】
当該産業において周知のように、広告は、ユーザが自分のブラウザにウェブページをダウンロードした後に、供給される。ウェブページを構成するコード（大抵ＨＴＭＬ）は、ブラウザによって実行され、広告が、広告源からユーザのコンピューティングデバイスに供給される。本発明では、広告を供給するエンティティは、サービスプロバイダ１０４であり、該サービスプロバイダは、広告を供給するエンティティ１０６から広告を受信する。閲覧者がウェブサイトに行き、サイトのＨＴＭＬがユーザのブラウザで実行されると、ユーザのクッキーが、掲載者に入手可能となる。クッキーは、掲載者のウェブページのコードによって解釈され、その後、ＨＴＴＰコールが、特定のクッキーパラメータと共にサービスプロバイダに、発せられる。ユーザのコンピューティングデバイスにロードされるウェブページの広告セグメントに対して最も適切な広告を供給可能するために、クッキー中にある特定の情報が、掲載者およびサービスプロバイダによって使用される。一実施形態では、この情報は、ユーザＩＤ（ＵＩＤ）およびシステムＩＤ（ＳＩＤ）から構成されてもよい。
【００１９】
図２は、本発明を実行するための、他のエンティティおよび相互作用を示すブロック図である。同図では、ブラウザ２０４を実行するユーザのコンピューティングデバイス２０２を示している。ユーザは、特定のウェブサイト２０６、例えば、旅行に関するブログに行く。ウェブサイトを表示するためのコードが、ユーザのブラウザ２０４で実行される。コードには、広告を表示するためのスクリプトが存在する。広告は、サービスプロバイダ２０８によって供給される。ＨＴＴＰコール２１０が、ユーザのコンピューティングデバイス２０２からサービスプロバイダ２０８に発せられ、該コールは、ＵＩＤおよびＳＩＤを含む。サービスプロバイダは、ユーザに関する情報を検索するために、ＳＩＤおよびＵＩＤを使用する。サービスプロバイダは、５億人以上のユニークユーザ（個人）に関するデータを有することがある。サービスプロバイダが有する個人に関するデータは、とりわけ、年齢幅、性別、嗜好、人口統計学的情報、地理的位置、社会経済的データ（例えば、収入、国籍、人種等）を含む。サービスプロバイダのデータベース２１２は、ユーザまたはセグメントデータを取得するために、索引付けされてもよい。このデータは、リアルタイムで検索される。後述するように、掲載者のウェブページは、探索（ｌｏｏｋ−ｕｐ）および広告入札が終了するまで、保持される。広告が選択され、供給されて、ウェブページと共に表示される状態になると、ウェブページは表示される。
【００２０】
その後、サービスプロバイダは、入札対象広告枠を掲載する（即ち、プロバイダは、入札過程２１７を開始する）。各種エンティティは、広告枠を入札できる。例えば、ＤＳＰ（２１４および２１６）、ＡＴＤ（２１８および２２０）、および広告主（２２２および２２４）は、広告枠を入札できる。また、掲載者２０６によって下限ｅ−ＣＰＭを設定するのに使用されることができる順列を導出するために、視聴者のセグメントレベルおよび広告タイプレベルが使用されてもよい。これらの入札者は、例えば、４５〜５５歳のサンフランシスコ在住男性でアジア系、年収５万５千ドル以上等といったユーザに見られている旅行ブログのウェブサイト上に利用可能な広告枠が存在することを、通知される。
【００２１】
また、この通知は、枠に対する最低入札価格または下限ｅ−ＣＰＭも含む。カスタマイズされたｅ−ＣＰＭ下限価格は、特定の広告エンティティに対して提供されてもよい。例えば、Ｍａｃｙ’ｓがＣａｄｅｒｏｎ（ＡＴＤ）を通じて応札する場合、下限は８．５０ドルである。Ｍａｃｙ’ｓが直接応札する場合、下限は８．９０ドルである。また、他の組合せおよび順列も可能である。例えば、ユーザが某氏である場合で、広告主が、例えば、Ｒｅｅｂｏｋである場合、Ｒｅｅｂｏｋに対する広告枠のｅ−ＣＰＭは、別のユーザに対するよりも低くなり得る。ＤＳＰ、ＡＴＤ、トレーディングデスク等の多様な組合せが存在する。これは、本発明の主な利点の１つである。サービスプロバイダは、掲載者に極めて精密な制御を行わせるため、多大な制御を行える掲載者は、これを使用して、ウェブページ上の広告枠を埋められる。一部の大規模な掲載者は、特定の広告主またはＤＳＰ（または他の広告供給エンティティ）と直接取引できるかも知れないが、そうした掲載者でも、実務レベルでは、５０または１００の広告供給エンティティおよび数千の広告主とリアルタイムで、両者に許容可能なｅ−ＣＰＭで、広告を供給できないため、掲載者が自分自身でこれらの制御を利用することは、効率的ではない。
【００２２】
ユーザについて提示されることができる多様なデータが存在する。また、サービスプロバイダ２０８は、広告の品質（画素、創造性等）といった、掲載者２０６に関する幾つかの要件を記載してもよい。そうして、広告エンティティ（２１４〜２２４）は、枠を入札できる。目標の１つは、ユーザの人口統計学的データとウェブページ上の広告枠の特徴とを合致させることである。掲載者は、多数の順列に関する下限ｅ−ＣＰＭを設定できるが、その基本的な数例について、ここでは説明する。オンライン広告を供給する当業者であれば、どのようにして制御や選好を行い、他の多様な順列および適切な下限ｅ−ＣＰＭを生成するかは分かるであろう。また、掲載者が有するかも知れないＤＳＰ、ＡＴＤ等との関係も存在し、該関係は、下限ｅ−ＣＰＭを設定するのに使用されることができる。本発明のサービスプロバイダがなければ、掲載者は、ｅ−ＣＰＭ下限を設定するのに、効果的に、または全くこれらの制御を使用できないであろう。これは、掲載者が、リアルタイムでウェブサイトを見ているユーザ／視聴者のプロフィールを入手するサービスプロバイダの能力の恩恵を受けるため、可能になる。最終的に、落札した広告供給エンティティによる広告２２８が、ユーザのウェブブラウザ２０４に供給され、その後完全にロードされてウェブページに表示される。
【００２３】
上述したように、下限価格を設定するのに使用されてもよいパラメータおよびカテゴリの数は、大幅に増加している。サービスプロバイダは、そのデータベースに、何億人ものユーザについての大量のデータを取得でき、保存している。ユーザに関するこうした大容量のデータが入手可能となったために、サービスプロバイダは、掲載者が、自分の広告枠を埋める際に、これまでになかったレベルの制御を行うことを可能にできる。この情報は、検索されることができ、入札過程は、ウェブページがロードされると、発生できる。広告が選択される（即ち、落札される）と、広告は、サービスプロバイダによって、ユーザのブラウザに供給され、ウェブページ上に表示される。その結果、当該ユーザには、極めて高い確率で自分に関心が高い広告が示される。
【００２４】
本発明では、上述したように、掲載者は、より調整された方法で広告枠に対する下限ｅ−ＣＰＭを要求できる。例えば、掲載者は、どのように広告主からの広告が供給されるかに応じて、同じ広告主に対して様々な下限ｅ−ＣＰＭ２２６を要求できる。例えば、掲載者は、特定のトレーディングデスクまたはＤＳＰと均一料金契約をすることがあるため、広告が当該エンティティを通じて供給される場合、広告主が、広告を直接または別の広告供給エンティティを通じて供給しようとする場合よりも、下限ｅ−ＣＰＭは低くなる可能性がある。
【００２５】
上記のような、掲載者が、自分のウェブサイトに供給される広告に対するｅ−ＣＰＭ下限価格を設定するのに更に精密な制御を行うことを可能にする、サービスプロバイダのアプリケーションに関する例示的な実施形態について、説明される。一実施形態では、下限ルールエンジン（Ｆｌｏｏｒ  Ｒｕｌｅ  Ｅｎｇｉｎｅ）が、例えば、システムのモジュールとして（本明細書では、サービスプロバイダの個人的な市場（Ｐｒｉｖａｔｅ  Ｍａｒｋｅｔｐｌａｃｅ）と呼ばれる）  実装されることができ、それにより、掲載者は、下限価格を精密なレベルで設定可能になる。下限ルールエンジンにより、掲載者は、異なるエンティティの任意の組合せを使用してｅ−ＣＰＭ下限価格の設定をすることができる。かかる各パラメータは、ルールと呼ばれる。ルールは、所望に応じて優先順位が付けられる。
【００２６】
図３は、本発明の一実施形態による、ユーザがウェブページをダウンロードした際の、ウェブブラウザに広告を供給する過程に関するフローチャートである。ステップ３０２では、ユーザは、ＮＹＴｉｍｅｓ．ｃｏｍや上述したような小サイト等、掲載者のウェブサイトを訪問する。ウェブサイトを見る過程の一部では、ステップ３０４に示されているように、ＨＴＭＬおよびスクリプトを掲載者のウェブサーバからユーザのブラウザにダウンロードする。この段階で、広告スクリプトが、ブラウザで実行される。ステップ３０６では、ユーザのコンピュータは、広告スクリプトで命令されると、サービスプロバイダのサーバにＨＴＴＰコールを発する。一実施形態では、ＨＴＴＰコールは、ユーザのＵＩＤおよびＳＩＤを含む。サービスプロバイダは、このデータを使用して、サービスプロバイダのデータベースにあるユーザに関するデータを調べる。例えば、ＵＩＤが、データベースのインデックスとして使用されてもよく、受信されたＵＩＤは、ユーザに関する情報を調べるのに使用されることができる。
【００２７】
ステップ３１０では、サービスプロバイダは、この時点で、ユーザデータ（該データには、上述したような多様なデータを含んでもよい）、および異なる広告供給エンティティに対して異なるかも知れない下限ｅ−ＣＰＭを有している。このデータおよび他のデータは、ステップ３１０でサービスプロバイダによって開始される入札過程で使用されてもよい。入札は、サービスプロバイダによって開催され、様々な広告供給エンティティに放送される。ステップ３１２では、エンティティは、入札データ（例えば、「この特定のユーザに見られる特定のページにあるｘｙｚウェブサイトの広告枠が、ｎドルの下限ｅ−ＣＰＭで販売中；入札開催中…」）を受信し、所望であれば、広告枠に対して応札する。ステップ３１４では、サービスプロバイダは、枠に対する落札を決定し、広告供給エンティティから広告を取得する。ステップ３１６では、サービスプロバイダは、ダウンロードされるページに広告が表示されるように、ユーザのウェブブラウザに落札広告を供給する。この段階で、ページのダウンロードが完了する。広告は、リアルタイムでサービスプロバイダによって決定および供給され、ウェブページに示される。
【００２８】
一実施形態では、ｅ−ＣＰＭ下限価格は、所望する精密さで、または精密さの組合せで設定されることができる。以下の例が挙げられる。
【表１】
2015501053.tif 000003
選好は、以下等の次元（ｄｉｍｅｎｓｉｏｎ）で変更されることができる：
・掲載者レベル
・掲載者サイトレベル
・広告タグレベル
・地理的レベル
・デマンドパートナーレベル
・広告主レベル
・例えば、掲載者は、以下のレベル−ａ）「エージェンシーＩＤ」レベル、ｂ）視聴者セグメントレベル、ｃ）「トレーディングデスク」および「視聴者セグメント」レベル、ｄ）「トレーディングデスク」および「視聴者セグメント」および「広告タイプ」（例えば、リッチメディア）レベル等の何れかで、ｅ−ＣＰＭ下限価格を設定できる。
【００２９】
これらの実施例および実施形態は、内容を加え、本発明の理解を助けるためだけに、提供される。従って、本発明は、本明細書に記載された特定の細部について一部または全部なしに、実行されてもよいことは、当業者には明らかである。他の例では、周知の概念については、不必要に本発明を曖昧にするのを避けるために、詳細には記載されていない。他の適用例および実施例も可能であり、以下の実施例、例図、および内容は、範囲または設定内で決定される、或いは限定されるものと、考えられるべきではない。これらの実施形態について、当業者が本発明を実行できるように十分詳細に説明されているが、これらの実施例、例図、および内容は、限定目的ではなく、他の実施形態が使用されてもよく、本発明の精神および範囲から逸脱することなく、変更が行われてもよい。
【００３０】
上述したように、本発明の主なコンピューティングデバイスは、ブラウザを実行するユーザのコンピュータ、１台または複数のサービスプロバイダのサーバコンピュータ、および様々な広告供給エンティティおよび広告主によって運用されるコンピュータである。また、コンピューティングデバイスは、スマートフォン、タブレット型コンピュータ、モバイル機器等を含んでもよい。図４Ａおよび図４Ｂは、本発明の特定の実施形態を実行するのに適当な、一般的なコンピューティングシステム４００を示している。本発明で使用されることができるデバイスの中には、図４Ａおよび図４Ｂで図示されない他の特徴または構成要素を有するものもあり、これらの図面で示された構成要素全てが、本発明を実行するのに必要というわけではない（例えば、キーボード）。このように、図４Ａは、コンピューティングシステムの１つの可能な物理的実装を、該用語が広く定義される場合で、示している。
【００３１】
一実施形態では、システム４００は、ディスプレイまたは画面４０４を含む。このディスプレイは、システム４００と同じハウジング内に存在してもよい。また、システム４００には、ディスプレイ４０４上に示されるキーボード４１０（即ち、仮想キーボード）を有してもよい、或いはデバイスのハウジングの一部である物理的構成要素としてもよい。該システム４００は、ＨＤＭＩ（登録商標）またはＵＳＢポート（図示せず）等の様々なポートを有してもよい。デバイス４００に結合されてもよいコンピュータ可読媒体としては、ＵＳＢメモリデバイスおよび各種メモリチップ、メモリスティック、およびメモリカードが挙げられる。
【００３２】
図４Ｂは、コンピューティングシステム４００に関するブロック図の例である。  システムバス４２０には、様々なサブシステムが取付けられる。プロセッサ４２２（複数可）は、メモリ４２４を含む記憶装置に結合される。メモリ４２４は、ランダムアクセスメモリ（ＲＡＭ）およびリードオンリメモリ（ＲＯＭ）を含んでもよい。当技術分野で周知の通り、ＲＯＭは、データおよび命令を、一方向にＣＰＵへ伝達する機能を果たし、ＲＡＭは、通常、データおよび命令を双方向に伝達するのに使用される。こうした種類の両メモリは、任意の適当な、以下で説明するコンピュータ可読媒体を含んでもよい。また、固定ディスク４２６も、プロセッサ４２２へ双方向に結合され；更なるデータ記憶容量を提供し、以下で説明するコンピュータ可読媒体の何れかを含んでもよい。固定ディスク４２６は、プログラムおよびデータ等を記憶するのに使用されてもよく、通常、一次記憶より遅い二次記憶媒体である。当然ながら、固定ディスク４２６内に保存した情報は、適切な場合、標準的な方法で、仮想メモリとしてメモリ４２４に組込まれてもよい。
【００３３】
また、プロセッサ４２２は、ディスプレイ４０４やネットワークインタフェース４４０等の様々な入力／出力装置とも結合される。一般的に、入力／出力装置は：ビデオディスプレイ、キーボード、マイクロホン、タッチ式ディスプレイ、タブレット、スタイラス、音声認識装置、手書き認識装置、バイオメトリクス読取装置、または他の装置の何れかとしてもよい。プロセッサ４２２は、任意に、ネットワークインタフェース４４０を使用して、別のコンピュータまたは電気通信網に結合されてもよい。かかるネットワークインタフェースで、ＣＰＵがネットワークから情報を受信する、または上記方法ステップを実行する間にネットワークに情報を出力する可能性があると想定される。更に、本発明の方法実施形態は、プロセッサ４２２でのみ実行してもよい、或いは処理の一部を共有するリモートプロセッサと連動して、インターネット等のネットワーク上で実行してもよい。
【００３４】
また、本発明の実施形態は更に、コンピュータで実行する様々な動作を行うためのコンピュータコードを有するコンピュータ可読媒体を有するコンピュータストレージ製品にも関する。媒体およびコンピュータコードは、本発明の目的のために特に設計、構成されたものとしてもよい、或いはコンピュータソフトウェア技術分野における技術を有する者に周知で、且つ利用可能な種類のものでもよい。コンピュータ可読媒体の例としては：ハードディスク、フロッピーディスク（登録商標）、および磁気テープ等の磁気媒体；ＣＤ−ＲＯＭおよびホログラフィ装置等の光媒体；フロプティカルディスク等の光磁気媒体；および特に、特定用途向け集積回路（ＡＳＩＣ）や、プログラム可能論理デバイス（ＰＬＤ）、ＲＯＭおよびＲＡＭ装置等のプログラムコードを記憶および実行するように構成されるハードウェアデバイスが挙げられるが、これらに限定されない。コンピュータコードの例としては、コンパイラによって作成される機械コード、インタプリタを使用してコンピュータによって実行される、ファイルに含まれるより高レベルのコードが挙げられる。
【００３５】
本発明に関する説明目的の実施形態および適用例について、本明細書で図示および記載されているが、多くの変形例および変更例が可能であり、そうした例は、本発明の概念、範囲、および精神内にあるものとし、これらの変形例は、本願を熟読した後に、当業者には明確になるであろう。従って、記載された実施形態は、説明を目的とするものであり、制限を目的とするものではないと見なされ、また、本発明は、本明細書に述べられた細部に限定されないが、付記されたクレームの範囲内および同等物内で変更されてもよい。
【符号の説明】
【００３６】
１０２          掲載者
１０４、２０８  サービスプロバイダ
１０６          エンティティ
２０２          コンピューティングデバイス
２０４          ブラウザ
２０６          ウェブサイト
２１０          ＨＴＴＰコール
２１２          データベース
２１４、２１６  ＤＳＰ
２１７          入札過程
２１８、２２０  ＡＴＤ
２２２、２２４  広告主
２２６          Ｅ−ＣＰＭ下限
２２８          広告
４００          システム
４０４          ディスプレイ
４１０          キーボード
４２０          システムバス
４２２          プロセッサ
４２４          メモリ
４２６          固定ディスク
４４０          ネットワークインタフェース
【図１】
2015501053.tif 000004
【図２】
2015501053.tif 000005
【図３】
2015501053.tif 000006
【図４Ａ】
2015501053.tif 000007
【図４Ｂ】
2015501053.tif 000008
【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
ユーザに見られるウェブページ上の広告セグメントに広告を供給する方法であって、前記ウェブページは、掲載者によって掲載され、前記方法は、
ＨＴＴＰコールを受信し、前記コールは、前記ユーザまたは前記ウェブページがロードされているユーザコンピュータに関連付けられたユーザＩＤ（ＵＩＤ）およびシステムＩＤ（ＳＩＤ）を含むこと、
前記ＵＩＤを使用して、前記ユーザに関するユーザデータを検索すること、
前記広告セグメントに関する１０００人当たりの最小有効広告費（ｅ−ＣＰＭ）の額を検索すること、
前記広告セグメントに対して最高ｅ−ＣＰＭ入札価格を得るために、複数の広告供給エンティティとの間で入札過程を開始すること、および
提示された最高ｅ−ＣＰＭに対応する広告を、前記ユーザコンピュータ上の前記ウェブページに提供すること
を備える方法。
【請求項２】
請求項１に記載の方法であって、
前記ＨＴＴＰコールは、掲載者ウェブページのコードによって解釈されるユーザのクッキーからデータを取得することを更に含む、方法。
【請求項３】
請求項１または請求項２に記載の方法であって、
前記ユーザまたは前記ユーザコンピュータに関連付けられた人口統計学的データおよび地理データを検索することを更に含む、方法。
【請求項４】
請求項１から請求項３のいずれか一項に記載の方法であって、
異なる開札情報を多数の広告供給エンティティに送信することを更に含む、方法。
【請求項５】
請求項１から請求項４のいずれか一項に記載の方法であって、
前記ｅ−ＣＰＭの最低価格は、ユーザの人口統計学的データと、広告供給エンティティとの関係と、のうちの少なくとも１つに基づいて決定されると共に、前記ｅ−ＣＰＭの最低価格が前記掲載者から受信される、方法。
【請求項６】
請求項１から請求項５のいずれか一項に記載の方法であって、
前記広告セグメントの下限ｅ−ＣＰＭ価格を設定し、前記広告セグメントの下限ｅ−ＣＰＭ価格は、前記ユーザの人口統計学的因子の少なくとも一部分に基づいて決定される、方法。
【請求項７】
請求項１から請求項６のいずれか一項に記載の方法であって、
前記広告セグメントの下限ｅ−ＣＰＭ価格は、前記ユーザの地理的因子の少なくとも一部分に基づいて決定される、方法。
【請求項８】
請求項１から請求項７のいずれか一項に記載の方法であって、
前記広告セグメントの下限ｅ−ＣＰＭ価格は、前記掲載者と特定のデマンドサイドパートナー（ＤＳＰ）との間の関係の少なくとも一部分に基づいて決定される、方法。
【請求項９】
請求項１から請求項８のいずれか一項に記載の方法であって、
前記広告セグメントの下限ｅ−ＣＰＭ価格は、前記掲載者と特定の提携トレーディングデスク（ＡＴＤ）との間の関係の少なくとも一部分に基づいて決定される、方法。
【請求項１０】
請求項１から請求項９のいずれか一項に記載の方法であって、
前記広告セグメントの下限ｅ−ＣＰＭ価格は、前記掲載者と特定の広告主との間の関係の少なくとも一部分に基づいて決定される、方法。
【請求項１１】
請求項１から請求項１０のいずれか一項に記載の方法であって、
前記広告セグメントの下限ｅ−ＣＰＭ価格は、前記広告がＤＳＰまたはＡＴＤを通じて供給される場合、広告が広告主から直接供給されるのと比べて、異なる、方法。
【請求項１２】
請求項１から請求項１１のいずれか一項に記載の方法であって、
前記広告セグメントの下限ｅ−ＣＰＭ価格は、広告が特定のＤＳＰを通じて、または特定のＡＴＤを通じて供給される場合、異なる、方法。
【請求項１３】
掲載者によって提示される広告セグメントに対するｅ−ＣＰＭ下限価格を設定する方法であって、前記方法は、
前記広告セグメントを含むウェブページを見るユーザについての人口統計学的データ、地理的データ、および関連データを決定すること、
広告セグメントが配置されている前記ウェブページ上の場所に関する情報を検索すること、
前記掲載者が有する、前記複数の広告供給エンティティとの関係を評価すること、および
特定の広告供給エンティティに対する前記広告セグメントの下限ｅ−ＣＰＭ価格を導出することを備え、前記下限ｅ−ＣＰＭ価格は、前記複数の広告供給エンティティと関与している前記広告セグメントに対する、リアルタイムな入札過程の一部として、前記特定の広告供給エンティティへ送信される、方法。
【請求項１４】
請求項１３に記載の方法であって、
前記リアルタイムな入札過程の一部として、前記複数の広告供給エンティティのそれぞれに対して、前記ユーザに関する人口統計学的データ、地理的データ、および社会経済的データを提供することを更に含む、方法。
【請求項１５】
請求項１３または請求項１４に記載の方法であって、
特定の前記下限ｅ−ＣＰＭ価格を、異なる前記複数の広告供給エンティティのそれぞれに対して決定し、  異なる開札情報を前記複数の広告供給エンティティに送信することを更に含み、前記開札情報は、少なくとも、前記複数の広告供給エンティティのそれぞれに関連付けられた前記下限ｅ−ＣＰＭ価格を含む、方法。
【請求項１６】
請求項１３から請求項１５のいずれか一項に記載の方法であって、
前記下限ｅ−ＣＰＭ価格は、ユーザの人口統計学的データおよび広告供給エンティティとの関係の少なくとも一部分に基づいて決定される、方法。
【請求項１７】
請求項１３から請求項１６のいずれか一項に記載の方法であって、
前記下限ｅ−ＣＰＭ価格は、前記掲載者と特定のＤＳＰとの間の関係の少なくとも一部分に基づいて決定される、方法。
【請求項１８】
請求項１３から請求項１６のいずれか一項に記載の方法であって、
前記広告セグメントの下限ｅ−ＣＰＭ価格は、前記掲載者と特定のＡＴＤとの間の関係の少なくとも一部分に基づいて決定される、方法。
【請求項１９】
請求項１３から請求項１６のいずれか一項に記載の方法であって、
前記広告セグメントの下限ｅ−ＣＰＭ価格は、前記掲載者と特定の広告主との間の関係の少なくとも一部分に基づいて決定される、方法。
【請求項２０】
請求項１３から請求項１９のいずれか一項に記載の方法であって、
前記広告セグメントの下限ｅ−ＣＰＭ価格は、前記広告がＤＳＰまたはＡＴＤを通じて供給される場合、広告が広告主から直接提供されるのと比べて、異なる、方法。
【手続補正２】
【補正対象書類名】明細書
【補正対象項目名】００３５
【補正方法】変更
【補正の内容】
【００３５】
本発明に関する説明目的の実施形態および適用例について、本明細書で図示および記載されているが、多くの変形例および変更例が可能であり、そうした例は、本発明の概念、範囲、および精神内にあるものとし、これらの変形例は、本願を熟読した後に、当業者には明確になるであろう。従って、記載された実施形態は、説明を目的とするものであり、制限を目的とするものではないと見なされ、また、本発明は、本明細書に述べられた細部に限定されないが、付記されたクレームの範囲内および同等物内で変更されてもよい。
適用例１：
ユーザに見られるウェブページ上の広告セグメントに広告を供給する方法であって、前記ウェブページは、掲載者によって掲載され、前記方法は、ユーザのコンピュータからＨＴＴＰコールを受信し、前記コールはＵＩＤおよびＳＩＤを含むこと、前記ＵＩＤを使用して、前記ユーザに関するユーザデータを検索すること、前記広告セグメントに関する１０００人当たりの最小有効広告費（ｅ−ＣＰＭ）の額を検索すること、前記広告セグメントに対して最高ｅ−ＣＰＭ入札価格を得るために、複数の広告供給エンティティとの間で入札過程を開始すること、および提示された最高ｅ−ＣＰＭに対応する広告を、前記ユーザのコンピュータ上の前記ウェブページに提供することを備える方法。
適用例２：
適用例１に記載の方法であって、前記ＨＴＴＰコールは、掲載者ウェブページのコードによって解釈されるユーザのクッキーからデータを取得することを更に含む、方法。
適用例３：
適用例１に記載の方法であって、人口統計学的データおよび地理データを検索することを更に含む、方法。
適用例４：
適用例１に記載の方法であって、異なる開札情報を多数の広告供給エンティティに送信することを更に含む、方法。
適用例５：
適用例１に記載の方法であって、前記掲載者から受信される前記ｅ−ＣＰＭは、ユーザの人口統計学的データおよび広告供給エンティティとの関係に基づいて決定される、方法。
適用例６：
適用例１に記載の方法であって、広告セグメントに対する下限ｅ−ＣＰＭ価格は、前記ユーザの人口統計学的因子によって決定される、方法。
適用例７：
適用例１に記載の方法であって、広告セグメントに対する下限ｅ−ＣＰＭ価格は、前記ユーザの地理的因子によって決定される、方法。
適用例８：
適用例１に記載の方法であって、広告セグメントに対する下限ｅ−ＣＰＭ価格は、前記掲載者と特定のＤＳＰとの間の関係によって決定される、方法。
適用例９：
適用例１に記載の方法であって、広告セグメントに対する下限ｅ−ＣＰＭ価格は、前記掲載者と特定のＡＴＤとの間の関係によって決定される、方法。
適用例１０：
適用例１に記載の方法であって、広告セグメントに対する下限ｅ−ＣＰＭ価格は、前記掲載者と特定の広告主との間の関係によって決定される、方法。
適用例１１：
適用例１に記載の方法であって、広告セグメントに対する下限ｅ−ＣＰＭ価格は、前記広告がＤＳＰまたはＡＴＤを通じて供給される場合、広告が広告主から直接供給されるのと比べて、異なる、方法。
適用例１２：
適用例１に記載の方法であって、広告セグメントに対する下限ｅ−ＣＰＭ価格は、広告が特定のＤＳＰを通じて、または特定のＡＴＤを通じて供給される場合、異なる、方法。
適用例１３：
掲載者によって提示される広告セグメントに対するｅ−ＣＰＭ下限価格を設定する方法であって、前記方法は、前記広告セグメントを含むウェブページを見るユーザについての人口統計学的データ、地理的データ、および関連データを決定すること、広告セグメントが存在する前記ウェブページ上の場所に関する情報を検索すること、前記掲載者が有する、複数の広告供給エンティティとの関係を評価すること、および特定の広告供給エンティティに対する前記広告セグメントの下限ｅ−ＣＰＭ価格を導出することを備え、前記下限ｅ−ＣＰＭ価格は、複数の広告供給エンティティと通信状態にあるサービスプロバイダによって、前記広告セグメントを埋めるための開札において使用される方法。
適用例１４：
適用例１３に記載の方法であって、前記サービスプロバイダによって実行される入札過程の一部として、前記ユーザに関する人口統計学的データ、地理的データ、および社会経済的データを検索することを更に含む、方法。
適用例１５：
適用例１３に記載の方法であって、異なる開札情報を前記複数の広告供給エンティティに送信することを更に含み、前記開札情報は、前記下限ｅ−ＣＰＭ価格を含む、方法。
適用例１６：
適用例１３に記載の方法であって、前記掲載者から受信される前記ｅ−ＣＰＭは、ユーザの人口統計学的データおよび広告供給エンティティとの関係に基づいて決定される、方法。
適用例１７：
適用例１３に記載の方法であって、広告セグメントに対する下限ｅ−ＣＰＭ価格は、前記掲載者と特定のＤＳＰとの間の関係によって決定される、方法。
適用例１８：
適用例１３に記載の方法であって、広告セグメントに対する下限ｅ−ＣＰＭ価格は、前記掲載者と特定のＡＴＤとの間の関係によって決定される、方法。
適用例１９：
適用例１３に記載の方法であって、広告セグメントに対する下限ｅ−ＣＰＭ価格は、前記掲載者と特定の広告主との間の関係によって決定される、方法。
適用例２０：
適用例１３に記載の方法であって、広告セグメントに対する下限ｅ−ＣＰＭ価格は、前記広告がＤＳＰまたはＡＴＤを通じて供給される場合、広告が広告主から直接提供されるのと比べて、異なる、方法。
【国際調査報告】
2015501053.tif 000009